(57)【特許請求の範囲】
【請求項１】
通気可能に構成された吸湿体が、その一部が除湿対象空気の通流する除湿領域となり、他部が再生用気体の通流する再生領域となり、且つ、各部が前記除湿領域と前記再生領域とに順次代わるように設けられ、
除湿対象域から除湿対象空気を吸気して、前記吸湿体の除湿領域を通過させた後に除湿対象域に送気する除湿用送風手段と、
再生用気体を加熱する加熱手段の加熱作用域、前記再生領域、再生用気体を冷却してその再生用気体に含まれる水分を凝縮させて分離する冷却手段の冷却作用域の順に通る循環経路で、再生用気体を循環させる循環用送風手段とが設けられた除湿装置であって、
前記冷却手段が、再生用気体を液状冷却媒体と熱交換させて冷却する気体−液体熱交換部を備えて構成され、
前記冷却手段が、再生用気体を前記除湿領域に通流させる除湿対象空気と熱交換させて冷却する気体−気体熱交換部を備えて、その気体−気体熱交換部及び前記気体−液体熱交換部を用いて再生用気体を冷却するように構成され、
前記冷却手段が、再生用気体から分離した凝縮水を前記液状冷却媒体として前記気体−液体熱交換部に供給する凝縮水供給手段を備えて構成されている除湿装置。
【発明の詳細な説明】
【０００１】
【発明の属する技術分野】
本発明は、通気可能に構成された吸湿体が、その一部が除湿対象空気の通流する除湿領域となり、他部が再生用気体の通流する再生領域となり、且つ、各部が前記除湿領域と前記再生領域とに順次代わるように設けられ、
除湿対象域から除湿対象空気を吸気して、前記吸湿体の除湿領域を通過させた後に除湿対象域に送気する除湿用送風手段と、
再生用気体を加熱する加熱手段の加熱作用域、前記再生領域、再生用気体を冷却してその再生用気体に含まれる水分を凝縮させて分離する冷却手段の冷却作用域の順に通る循環経路で、再生用気体を循環させる循環用送風手段とが設けられた除湿装置に関する。
【０００２】
【従来の技術】
かかる除湿装置には、図６に示すように、通気可能に構成された吸湿体２を、例えば、その周方向における一部が除湿対象空気の通流する除湿対象空気通流域Ａｄに位置し、他部が再生用気体の通流する再生用気体通流域Ａｒに位置する状態で、回転軸芯Ｐ周りに回転されるように設けている。
又、除湿対象域Ｒの空気を吸気口１０から吸気して、除湿対象空気通流域Ａｄを通過させた後、送気口１１から除湿対象域Ｒに送気する除湿用送風手段４と、再生用気体を加熱する加熱手段３の加熱作用域、再生用気体通流域Ａｒ、再生用気体を冷却してその再生用気体に含まれる水分を凝縮させて分離する冷却手段Ｃの冷却作用域の順に通る循環経路Ｌで、再生用気体を循環させる循環用送風手段５を設けている。
つまり、吸湿体２を回転軸芯Ｐ周りに回転させることにより、吸湿体２において、除湿対象空気通流域Ａｄに位置する部分が除湿領域２ｄとなり、再生用気体通流域Ａｒに位置する部分が再生領域２ｒとなり、吸湿体２の各部が除湿領域２ｄと再生領域２ｒとに順次代わるようになっている。
【０００３】
従来は、図６に示すように、冷却手段Ｃは、再生用気体を除湿対象空気通流域Ａｄに通流させる除湿対象空気と熱交換させて冷却する気体−気体熱交換器２７にて構成していた。
【０００４】
【発明が解決しようとする課題】
しかしながら、従来は、熱伝導率の小さい除湿対象空気を冷却媒体として再生用気体と熱交換させて再生用気体を冷却するため、その熱交換効率が低く、その分、除湿対象空気の通風量を多くする必要があり、除湿用送風手段として、能力の大きいものを設ける必要がある。従って、除湿用送風手段の作動音が大きいこと、及び、除湿対象空気の通風音（所謂、風音）が大きいこと等が相俟って、除湿装置の運転音が大きいという問題があった。
特に、かかる除湿装置は、住宅に設置されるので、装置運転音を小さくすることに対する要望が強い。
ちなみに、装置運転音を小さくするために、除湿対象空気の送風量を小さくすると、冷却部において再生用気体から水分を凝縮させて分離する能力が低下するので、吸湿体を再生する能力（即ち、冷却部で水分分離してから加熱手段にて加熱した再生用気体を吸湿体に通過させることにより、吸湿体から水分を放出させる能力）が低下し、延いては、除湿能力が低下することになる。
【０００５】
又、除湿対象域から吸気した除湿対象空気に、気体−気体熱交換器において、再生用気体の顕熱（つまり、吸湿体の再生のために与えた再生用の熱に相当する）及び再生用気体に含まれる水分の凝縮熱（除湿対象空気中の水分の凝縮熱に相当する）を吸熱させていた。
従って、従来では、除湿対象域に、吸湿体再生用の熱及び除湿対象空気中の水分の凝縮熱が放熱されることとなるので、除湿対象域は除湿されるものの、除湿対象域内の温度が上昇するという問題があった。特に、除湿が必要とされる梅雨期から夏期にかけては、除湿対象域内の温度が上昇して不快な状態となるので、かかる問題が顕著となっていた。ちなみに、除湿対象域内の温度は、少なくとも３〜５°Ｃ程度は上昇していた。
【０００６】
本発明は、かかる実情に鑑みてなされたものであり、その目的は、除湿能力の低下を回避しながら装置運転音を小さくすると共に、除湿対象域の温度上昇を抑制することにある。
【０００７】
【課題を解決するための手段】
〔請求項１記載の発明〕
請求項１に記載の特徴構成は、前記冷却手段が、再生用気体を液状冷却媒体と熱交換させて冷却する気体−液体熱交換部を備えて構成されていることにある。
【０００８】
請求項１に記載の特徴構成によれば、気体−液体熱交換部にて、吸湿体の再生領域を通過した再生用気体と液状冷却媒体とを熱交換させることにより、液状冷却媒体に、再生用気体の顕熱（吸湿体再生用の熱）及び再生用気体に含まれる水分の凝縮熱（除湿対象空気中の水分の凝縮熱に相当する）を吸熱させて、再生用気体を冷却し、再生用気体から水分を凝縮分離する。
従って、除湿対象空気を再生用気体の冷却用の冷却媒体として用いることが不要となり、除湿対象空気を再生用気体の冷却用の冷却媒体として用いていた従来よりも、除湿対象空気の通風量を少なくすることができるので、その分、除湿用送風手段として、従来よりも能力の小さいものを設けることができる。
又、液状冷却媒体を冷却媒体として用いると、液状冷却媒体は気体の冷却媒体に比べて熱伝導率が大きいため、冷却媒体として除湿対象空気を用いる場合に比べて、再生用気体との熱交換効率が高くなり、再生用気体を効率良く冷却して再生用気体に含まれる水分を凝縮して分離することができるので、水分を適切に分離した再生用気体を用いて、吸湿体を効率よく再生することができる。
従って、従来と同等の除湿能力、あるいは、従来よりも高い除湿能力を得ながら、従来よりも装置運転音を小さくすることができるようになった。
【０００９】
又、吸湿体再生用の熱及び除湿対象空気中の水分の凝縮熱を液状冷却媒体に吸熱させるので、吸湿体再生用の熱及び除湿対象空気中の水分の凝縮熱が除湿対象域に放熱されるのを抑制することができるので、除湿対象域内の温度上昇を抑制することができるようになった。
また、請求項１に記載の特徴構成は、前記冷却手段が、再生用気体を前記除湿領域に通流させる除湿対象空気と熱交換させて冷却する気体−気体熱交換部を備えて、その気体−気体熱交換部及び前記気体−液体熱交換部を用いて再生用気体を冷却するように構成され、
前記冷却手段が、再生用気体から分離した凝縮水を前記液状冷却媒体として前記気体−液体熱交換部に供給する凝縮水供給手段を備えて構成されていることにある。
請求項１に記載の特徴構成によれば、気体−気体熱交換部と気体−液体熱交換部の協働により、再生用気体から一層効率良く水分を凝縮させて分離することができ、そのように分離した凝縮水が、凝縮水供給手段によって、液状冷却媒体として気体−液体熱交換部に供給される。
従って、気体−気体熱交換部と気体−液体熱交換部の協働により再生用気体を冷却することで、その冷却能力を向上することができるから、除湿対象空気の通風量は増加させず、装置運転音を小さくすることを達成しながら、除湿能力を一層向上することができる。
しかも、液状冷却媒体としては、冷却手段で分離された凝縮水を用いるから、気体−液体熱交換部で使用する液状冷却媒体の補給が不要になるか、あるいは補給量を低減することができるので、液状冷却媒体の補給にかかわる使用者の負担を可及的に軽減することができる。
【００１６】
【発明の実施の形態】
〔第１参考実施形態〕
以下、図１及び図４に基づいて、第１の参考の実施の形態を説明する。
図４に示すように、除湿装置は、除湿対象域Ｒ内に設置し、吸気口１０から除湿対象域Ｒの空気を吸気し、その吸気空気を除湿した後、吹出し口１１から吹出すことにより、除湿対象域Ｒを除湿する。
【００１７】
図１に示すように、除湿装置は、筐体１の内部に、通気可能に構成した吸湿体としての除湿用ロータ２を、その周方向における一部が除湿対象空気の通流する除湿対象空気通流域Ａｄに位置し、他部が再生用気体としての再生用空気が通流する再生用空気通流域Ａｒに位置する状態で回転されるように設けてある。
又、筐体１の内部に、除湿対象域Ｒから除湿対象空気を吸気して、除湿対象空気通流域Ａｄを通過させて除湿した後、除湿対象域Ｒに送気する除湿用送風機４（除湿用送風手段に相当する）と、再生用空気を加熱する電気ヒータ３（加熱手段に相当する）の加熱作用域、再生用空気通流域Ａｒ、再生用空気を冷却してその再生用空気に含まれる水分を凝縮させて分離する冷却部Ｃ（冷却手段に相当する）の冷却作用域の順に通る循環経路Ｌで再生用空気を循環させる循環用送風機５（循環用送風手段に相当する）と、除湿装置の制御を司る制御部６等を備えてある。
【００１８】
従って、除湿用ロータ２において、除湿対象空気通流域Ａｄ内に位置する部分が除湿領域２ｄとなり、再生用空気通流域Ａｒ内に位置する部分が再生領域２ｒとなり、除湿用ロータ２の各部が除湿領域２ｄと再生領域２ｒとに順次代わるようになっている。
【００１９】
第１の参考の実施の形態においては、冷却部Ｃは、再生用空気を液状冷却媒体としての冷却水と熱交換させて冷却する気体−液体熱交換部７（以下、水冷式熱交換部と称する場合がある）を備えて構成してある。
【００２０】
除湿用ロータ２の回転方向において再生用空気通流域Ａｒよりも下手側で除湿対象空気通流域Ａｄよりも上手側の位置に、冷却部Ｃにて冷却された再生用空気の通流する冷却用空気通流域Ａｃを設け、循環用送風機５を、電気ヒータ３における加熱作用域、再生用空気通流域Ａｒ、冷却部Ｃにおける冷却作用域、冷却用空気通流域Ａｃを順に通る循環経路Ｌで、再生用空気を循環させるように構成してある。従って、除湿用ロータ２において、冷却用空気通流域Ａｃ内に位置する部分が、冷却部Ｃにて冷却された再生用空気の通流により除湿用ロータ２が冷却される冷却領域２ｃとなる。
【００２１】
除湿用ロータ２は、回転軸芯Ｐ方向での通気が可能なハニカム状の基材に、吸湿剤（シリカゲルや塩化リチウム等）を保持して構成し、その除湿用ロータ２を、除湿対象空気通流域Ａｄ、再生用空気通流域Ａｒ及び冷却用空気通流域Ａｃに跨る状態で、モータ８によって回転軸芯Ｐ周りに回転駆動されるように設けてある。
除湿対象空気が除湿用ロータ２を回転軸芯Ｐの方向に通過して通流する除湿対象空気通流域Ａｄ、再生用空気が除湿用ロータ２を回転軸芯Ｐの方向に通過して通流する再生用空気通流域Ａｒ、及び、再生用空気が除湿用ロータ２を回転軸芯Ｐの方向に通過して通流する冷却用空気通流域Ａｃを、除湿用ロータ２の回転方向において冷却用空気通流域Ａｃが再生用空気通流域Ａｒよりも下流側で除湿対象空気通流域Ａｄよりも上流側に位置する状態で、区画形成する通流域形成部材９を設けてある。
【００２２】
筐体１に、除湿対象域Ｒの空気を吸い込む吸気口１０と、吸い込んだ空気を除湿対象域Ｒに吹出す吹出し口１１を形成し、筐体１の内部に、吸気口１０から吸い込まれた除湿対象域Ｒの空気を、除湿対象空気通流域Ａｄを通過してから吹出し口１１から除湿対象域Ｒに吹出されるように案内する除湿用流路１２を形成し、除湿用送風機４は、その除湿用流路１２に通風作用するように設けてある。
【００２３】
筐体１の内部に、再生用空気を、電気ヒータ３における加熱作用域、再生用空気通流域Ａｒ、冷却部Ｃにおける冷却作用域、冷却用空気通流域Ａｃを順に通る循環経路Ｌにて通流するように案内する循環用流路１３を形成し、循環用送風機５は、その循環用流路１３に通風作用するように設けてある。
電気ヒータ３は、再生用空気の循環経路Ｌにおける、冷却用空気通流域Ａｃよりも下流側で、再生用空気通流域Ａｒよりも上流側の位置において、循環用流路１３を通流する再生用空気を加熱するように設けてある。
【００２４】
冷却部Ｃについて説明を加える。
冷却部Ｃには、冷却水を貯留する冷却水タンク１７と、その冷却水タンク１７から冷却水を水冷式熱交換部７に供給する冷媒供給路としての冷却水供給路１４と、水冷式熱交換部７から冷却水を排出する冷媒排出路としての冷却水排出路１５と、水冷式熱交換部７にて分離された凝縮水を排出する凝縮水排出路１６と、冷却水排出路１５を通じて排出される冷却水及び凝縮水排出路１６を通じて排出される凝縮水を受けて貯留する排水タンク１９とを設けてある。
【００２５】
水冷式熱交換部７について説明を加える。
水冷式熱交換部７は、筐体３１内に、２枚の隔壁３２により、空気供給室３３、貯水室３４及び空気排出室３５を、上側から順に上下方向に並ぶ状態で区画形成すると共に、複数の空気通流管３６を、貯水室３４を上下方向に貫通し且つ空気供給室３３及び空気排出室３５に連通するように、２枚の隔壁３２にわたって設けて構成してある。
そして、水冷式熱交換部７を、循環用流路１３における再生用空気通流域Ａｒから冷却用空気通流域Ａｃに至る部分の途中に、空気供給室３３に循環用流路１３の上流側が連通接続され、空気排出室３５に循環用流路１３の下流側が連通接続される状態で設けてある。
【００２６】
冷却水タンク１７内の冷却水を貯水室３４にその下部から供給すべく、冷却水供給路１４は、冷却水タンク１７と貯水室３４の下部とに接続し、冷却水供給路１４に、冷却水ポンプ１８を設けてある。
貯水室３４内の冷却水をオーバーフロー状態で排出すべく、冷却水排出路１５は、貯水室３４の上部に接続し、水冷式熱交換部７にて分離された凝縮水を排出すべく、凝縮水排出路１６は、空気排出室３５の底部に接続してある。
【００２７】
図中の５０は、空気排出室３５と凝縮水排出路１６との接続口を開閉するフロートであり、このフロート５０は、空気排出室３５の凝縮水の貯留量が所定量以下のときは、前記接続口を閉じ、所定量を越えると浮いて前記接続口を開くようになっていて、再生用空気が凝縮水排出路１６に流入するのを防止しながら、空気排出室３５の凝縮水が凝縮水排出路１６へ流入するのを許容するようにしてある。
【００２８】
又、貯水室３４内の冷却水の温度を検出する温度センサ２０を設けてある。
又、水冷式熱交換部７を保温して、水冷式熱交換部７から除湿対象域Ｒへの放熱を抑制する断熱材３７、冷却水タンク１７を保温して、冷却水タンク１７内の冷却水の温度上昇や冷却水タンク１７表面での結露を抑制する断熱材２１、及び、排水タンク１９を保温して、排水タンク１９内に貯留されている水から除湿対象域Ｒへの放熱を抑制する断熱材２２を設けてある。
【００２９】
次に、除湿装置の作用について説明する。
モータ８を作動させて除湿用ロータ２を回転させ、電気ヒータ３を作動させ、並びに、除湿用送風機４及び循環用送風機５を作動させる。
ちなみに、除湿用ロータ２の回転速度は、例えば、１回／３分間程度に設定する。
すると、除湿用送風機４の通風作用により、除湿対象域Ｒの除湿対象空気が、吸気口１０から吸気されて除湿対象空気通流域Ａｄ内を通過し、そこを通過するときに、除湿対象空気に含まれる水分が、除湿対象空気通流域Ａｄ内に位置する除湿用ロータ２に保持されている吸湿剤に吸湿されて除湿され、そのように除湿された除湿空気が、吹出し口１１から除湿対象域Ｒに吹出されて、除湿対象域Ｒが除湿される。
【００３０】
除湿用ロータ２において、除湿対象空気通流域Ａｄに位置して吸湿した部分が、再生用空気通流域Ａｒに移動すると、高温低湿の再生用空気の通過によって加熱されて、除湿用ロータ２に吸湿されていた水分が放出されて、除湿用ロータ２が再生される。
除湿用ロータ２において、再生用空気通流域Ａｒに位置して再生された部分は、昇温しているが、その部分は、冷却用空気通流域Ａｃに移動することにより、冷却部Ｃでの冷却により除湿並びに降温された低温低湿の再生用空気が通過するので、冷却される。
そして、除湿用ロータ２において再生並びに冷却された部分が、除湿対象空気通流域Ａｄへ移動して、そこで除湿対象空気に除湿作用することになる。
【００３１】
再生用空気は、循環用送風機５の通風作用により、電気ヒータ３における加熱作用域、再生用空気通流域Ａｒ、冷却部Ｃにおける冷却作用域、冷却用空気通流域Ａｃを順に通る循環経路Ｌにて循環する。
再生用空気通流域Ａｒを通過して高湿となった再生用空気は、水冷式熱交換部７の空気通流管３６を通流するときに、貯水室３４内の冷却水により冷却され、再生用空気に含まれる水分が凝縮して分離される。水冷式熱交換部７にて冷却されて水分が分離された再生用空気は冷却用空気通流域Ａｃを通流してから、更に、電気ヒータ３にて加熱されて高温低湿状態となって再生用空気通流域Ａｒを通流し、そこで、除湿用ロータ２に対して吸湿作用する。
水冷式熱交換部７にて再生用空気から分離された凝縮水は、水冷式熱交換部７の空気排出室３５の底部から凝縮水排出路１６を通じて排出され、排水タンク１９に貯留される。
【００３２】
従って、除湿用ロータ２再生用の熱及び除湿対象空気中の水分の凝縮熱を冷却水に吸熱させること、除湿用ロータ２の再生領域２ｒとなった部分に与えられた再生用の熱を、その部分が除湿領域２ｄになる前の冷却領域２ｃのときに再生用空気に対して放熱させること、水冷式熱交換部７から除湿対象域Ｒへの放熱が断熱材３７により抑制されること、及び、排水タンク１９から除湿対象域Ｒへの放熱が断熱材２２により抑制されることの相乗効果により、除湿対象域Ｒ内の昇温を効果的に抑制することができる。
【００３３】
水冷式熱交換部７の貯水室３４内の冷却水は、再生用空気との熱交換により昇温するので、温度センサ２０の検出温度が所定の温度に達すると、冷却水ポンプ１８を作動させる。すると、冷却水タンク１７内の低温の冷却水が貯水室３４の下部から供給されることに伴って、貯水室３４内の高温の冷却水がオーバーフロー状態で冷却水排出路１５を通じて排出されるので、貯水室３４内の冷却水の温度が低下する。
冷却水排出路１５を通じて排出された冷却水は、排水タンク１９に凝縮水と共に貯留される。
【００３４】
冷却水タンク１７には、例えば、水道水を貯留する。
あるいは、冷却水タンク１７に、冷蔵庫等で冷やした水を貯留したり、冷却水タンク１７に氷を入れて貯留冷却水を冷やすと、除湿能力を一層向上することができる。
排水タンク１９内の水は、使用者が適宜捨てる。
【００３５】
制御部６の制御作動について説明する。
制御部６は、温度センサ２０の検出温度が予め設定した設定温度以上になると、冷却水ポンプ１８を冷却水ポンプ作動用の設定時間の間作動させる。
前記冷却水ポンプ作動用の設定時間は適宜設定することができるが、例えば、貯水室３４内の冷却水の略全量を冷却水タンク１７内の冷却水に交換することができるように設定する。
【００３６】
〔第２参考実施形態〕
以下、図２に基づいて、第２の参考の実施の形態を説明する。
第２参考実施形態においては、冷却部Ｃを、再生用空気を除湿対象空気通流域Ａｄに通流させる除湿対象空気と熱交換させて冷却する気体−気体熱交換部２３（以下、空冷式熱交換部と記載する場合がある）を備えて、その空冷式熱交換部２３及び水冷式熱交換部７を用いて再生用空気を冷却するように構成してあり、その他は、上記の第１参考実施形態と同様に構成してある。
【００３７】
冷却部Ｃについて、説明を加える。
冷却部Ｃは、空冷部形成用筐体４１内に、空気供給ヘッダ４２と水冷部形成用筐体４３を、空気供給ヘッダ４２が上方に位置する状態で上下方向に間隔を隔てて配設し、水冷部形成用筐体４３内に、隔壁４７により、貯水室４４及び空気排出室４５を上側から順に上下方向に並ぶ状態で区画形成し、並びに、複数の空気通流管４６を、貯水室４４を上下方向に貫通して、空気供給ヘッダ４２及び空気排出室４５夫々に連通接続して設けることにより、構成してある。
【００３８】
そして、冷却部Ｃを、循環用流路１３における再生用空気通流域Ａｒから冷却用空気通流域Ａｃに至る部分の途中に、空気供給ヘッダ４２に循環用流路１３の上流側が連通接続され、空気排出室４５に循環用流路１３の下流側が連通接続される状態で設けてある。
又、除湿用流路１２における除湿対象空気通流域Ａｄよりも上流側部分の途中に、空冷部形成用筐体４１を接続して、除湿用流路１２を通流する除湿対象空気が空冷部形成用筐体４１を通流してから、除湿対象空気通流域Ａｄに供給されるようにしてある。
従って、空冷部形成用筐体４１及び空気通流管４６により、空冷式熱交換部２３を構成し、水冷部形成用筐体４３及び空気通流管４６により、水冷式熱交換部７を構成してある。
【００３９】
第１参考実施形態と同様に、冷却水タンク１７内の冷却水を水冷式熱交換部７の貯水室４４にその下部から供給すべく、冷却水供給路１４を冷却水タンク１７と貯水室４４の下部とに接続し、貯水室４４内の冷却水をオーバーフロー状態で排出すべく、冷却水排出路１５を貯水室４４の上部に接続し、空冷式熱交換部２３及び水冷式熱交換部７にて分離された凝縮水を排出すべく、凝縮水排出路１６を空気排出室４５の底部に接続してある。空気排出室４５と凝縮水排出路１６との接続口には、第１参考実施形態と同様に作用するフロート５０を設けてある。
又、貯水室４４内の冷却水の温度を検出する温度センサ２０を設けてある。
又、断熱材４８を、空冷部形成用筐体４１の外周を覆うように設けて、冷却部Ｃから除湿対象域Ｒへの放熱を抑制している。
制御部６は、第１参考実施形態と同様に、温度センサ２０の検出温度が前記設定温度以上になると、冷却水ポンプ１８を設定時間の間作動させる。
【００４０】
空冷式熱交換部２３においては、空冷部形成用筐体４１を通流する除湿対象空気により空気通流管４６を通流する再生用空気が冷却される。
そして、空冷式熱交換部２３で分離された凝縮水、及び、水冷式熱交換部７で分離された凝縮水は、共に空気通流管４６を流下して、凝縮水排出路１６を通じて排出される。
【００４１】
第２参考実施形態による除湿装置では、空冷式熱交換部２３と水冷式熱交換部７の協働により、再生用空気から一層効率良く水分を凝縮させて分離することができる。
【００４２】
〔本発明の実施形態〕
以下、図３に基づいて、本発明の実施の形態を説明する。
本発明の実施形態においては、冷却用空気通流域Ａｃを省略し、再生用空気を、電気ヒータ３における加熱作用域、再生用空気通流域Ａｒ、冷却部Ｃにおける冷却作用域を順に通る循環経路Ｌにて循環させるように構成してある。
又、冷却部Ｃを、第２参考実施形態と同様に、再生用空気を除湿対象空気通流域Ａｄに通流させる除湿対象空気と熱交換させて冷却する空冷式熱交換部２３を備えて、その空冷式熱交換部２３及び水冷式熱交換部７を用いて再生用空気から水分を凝縮させて分離するように構成してあり、更に、再生用空気から分離した凝縮水を冷却水として水冷式熱交換部７に供給する凝縮水ポンプ２４（凝縮水供給手段に相当する）を備えて構成してある。
但し、第２参考実施形態における冷却水タンク１７、冷却水供給路１４、冷却水ポンプ、温度センサ２０及び凝縮水排出路１６を省略してある。
【００４３】
本発明の実施形態においては、第２参考実施形態における空気排出室４５は、再生用空気から分離した凝縮水の貯留用としても機能させるようにして、空気排出室兼凝縮水貯留室４５として用いる。
そして、空気排出室兼凝縮水貯留室４５の下部と貯水室４４の下部とを凝縮水供給路２５にて接続し、空気排出室兼凝縮水貯留室４５に貯留されている凝縮水を冷却水として水冷式熱交換部７に供給すべく、その凝縮水供給路２５に凝縮水ポンプ２４を設けてある。
冷却水排出路１５は、第２参考実施形態と同様に、貯水室４４内の冷却水としての凝縮水をオーバーフロー状態で排出すべく、貯水室４４の上部に接続し、排水タンク１９は、冷却水排出路１５を通じて排出される凝縮水を受けて貯留するように設けてある。
又、空気排出室兼凝縮水貯留室４５に貯留される凝縮水の水位が設定水位になったことを検出する水位センサ２６を設けてある。
【００４４】
そして、水位センサ２６が空気排出室兼凝縮水貯留室４５内の凝縮水の水位が前記設定水位になったことを検出すると、凝縮水ポンプ２４を作動させる。すると、空気排出室兼凝縮水貯留室４５内の凝縮水が貯水室４４の下部から供給され、それに伴って、貯水室４４内の高温の凝縮水がオーバーフロー状態で冷却水排出路１５を通じて排出されるので、貯水室４４内の冷却水としての凝縮水の温度が低下する。
【００４５】
制御部６の制御作動について説明する。
制御部６は、水位センサ２６が前記設定水位になったことを検出すると、凝縮水ポンプ２４を凝縮水ポンプ作動用の設定時間の間作動させる
前記凝縮水ポンプ作動用の設定時間は適宜設定することができるが、例えば、空気排出室兼凝縮水貯留室４５内の凝縮水の略全量を貯水室４４に供給することができるような時間に設定する。
本発明の実施形態による除湿装置では、冷却水を補給する手間が省けるので、使い勝手が一層良くなる。
【００４６】
〔別実施形態〕
次に別実施形態を説明する。
（イ）  吸湿体２を、その一部が除湿対象空気の通流する除湿領域２ｄとなり、他部が再生用気体の通流する再生領域２ｒとなり、且つ、各部が除湿領域２ｄと再生領域２ｒとに順次代わるように設けるための具体構成は、上記の実施形態において例示した構成に限定されるものではない。
例えば、吸湿体２を固定して設けるとともに、吸湿体２を２つ以上の領域に区分する。そして、除湿対象空気が通流する領域と加熱手段３にて加熱された再生用空気が通流する領域が同時に存在する状態で、ダンパ等により、各領域について、除湿対象空気と加熱手段３にて加熱された再生用空気とを順次通流させるように切り換える。つまり、除湿対象空気が通流する領域が除湿領域２ｄとなり、加熱手段３にて加熱された再生用空気が通流する領域が再生領域２ｒとなる。
【００４７】
又、冷却領域２ｃを設ける場合は、吸湿体２を３つ以上の領域に区分する。そして、加熱手段３にて加熱された再生用空気が通流する領域と、冷却部Ｃにて冷却された再生用空気が通流する領域と、除湿対象空気が通流する領域とが同時に存在する状態で、ダンパ等により、各領域について、加熱手段３にて加熱された再生用空気、冷却部Ｃにて冷却された再生用空気、除湿対象空気を記載順に順次通流させるよう切り換える。つまり、加熱手段３にて加熱された再生用空気が通流する領域が再生領域２ｒとなり、冷却部Ｃにて冷却された再生用空気が通流する領域が冷却領域２ｃとなり、除湿対象空気が通流する領域が除湿領域２ｄとなる。
【００４８】
（ロ）  上記の第１参考及び第２参考の各実施形態において、冷却水タンク２１を省略して、冷却水供給路１４に水道管を接続すると共に、冷却水供給路１４に開閉弁を設け、その開閉弁の操作により、水道水を冷却水として水冷式熱交換部７に供給するように構成しても良い。この場合は、冷却水を補給する手間が省けるので、使い勝手が一層良くなる。
上記の第１参考、第２参考及び本発明の各実施形態において、排水タンク１９を省略して、冷却水排出路１５を通じて直接排水しても良い。
【００４９】
（ハ）  加熱手段の具体構成としては、上記の各実施形態において例示した電気ヒータ３に限定されるものではなく、例えば、ガスバーナでも良い。
【００５０】
（ニ）  上記の第１参考及び第２参考の各実施形態において、本発明の実施形態と同様に、冷却用空気通流域Ａｃを省略してもよい。
又、本発明の実施形態において、第１参考及び第２参考の各実施形態と同様に、冷却用空気通流域Ａｃを設けても良い。
【００５１】
（ホ）  冷却部Ｃを空冷式熱交換部２３と水冷式熱交換部７とを備えて構成した第２参考及び本発明の各実施形態においては、空冷式熱交換部２３及び水冷式熱交換部７を、空冷式熱交換部２３が水冷式熱交換部７よりも上流側に位置する状態で循環用流路１３に設ける場合について例示したが、図５に示すように、水冷式熱交換部７が空冷式熱交換部２３よりも上流側に位置する状態で循環用流路１３に設けてもよい。この場合は、上流側に位置する水冷式熱交換部７で先に、再生用空気を冷却するので、第２参考及び本発明の各実施形態に比べて、除湿用ロータ２再生用の熱、及び、除湿体対象空気中の水分の凝縮熱が除湿対象空気に放熱されるのを抑制することができる。従って、除湿対象域Ｒの昇温を一層抑制することができる。
【００５２】
尚、図５は、凝縮水を冷却水として用いるように構成した場合について、図示している。
水冷式熱交換部７は、貯水室５１と、その貯水室５を上下方向に貫通する状態で設けた複数の空気通流管５２にて構成してある。
空冷式熱交換部２３は、除湿対象空気を通流させる除湿対象空気通流室５３と、その除湿対象空気通流室５３を上下方向に貫通する状態で設けた複数の上流側空気通流管５４と、その除湿対象空気通流室５３を上下方向に貫通する状態で設けた複数の下流側空気通流管５５にて構成してある。
【００５３】
水冷式熱交換部７の空気通流管５２の上端開口に連通する空気供給室５６、水冷式熱交換部７の空気通流管５２の下端開口と空冷式熱交換部２３の上流側空気通流管５４の下端開口とを連通すると共に凝縮水を貯留する凝縮水貯留室５７、上流側空気通流管５４の上端開口と下流側空気通流管５５の上端開口とを連通する連通室５８、下流側空気通流管５５の下端開口に連通すると共に、凝縮水貯留室５７の上方に位置して、底部に凝縮水貯留室５７に連通する連通開口５９ａを備えた空気排出室５９を設けてある。
図５中の５０は、空気排出室５９の連通開口５９ａを開閉するフロートであり、このフロート５０は、空気排出室５９の凝縮水の貯留量が所定量以下のときは、連通開口５９ａを閉じ、所定量を越えると浮いて連通開口５９ａを開くようになっていて、再生用空気が凝縮水貯留室５７に流入するのを防止しながら、空気排出室５９の凝縮水を凝縮水貯留室５７へ移すように構成してある。
【００５４】
そして、循環用流路１３の上流側を空気供給室５６に接続し、循環用流路１３の下流側を空気排出室５９に接続して、再生用空気が、空気供給室５６、水冷式熱交換部７の空気通流管５２、凝縮水貯留室５７、空冷式熱交換部２３の上流側空気通流管５４、連通室５８、下流側空気通流管５５、空気排出室５９を順に通流するように構成してある。
又、除湿用流路１２における除湿対象空気通流域Ａｄよりも上流側部分の途中に、除湿用空気通流室５３を接続して、除湿用流路１２を通流する除湿対象空気が除湿用空気通流室５３を通流してから、除湿対象空気通流域Ａｄに供給されるようにしてある。
【００５５】
凝縮水貯留室５７の下部と貯水室５１の下部とを凝縮水供給路２５にて接続し、凝縮水貯留室５７に貯留されている凝縮水を冷却水として水冷式熱交換部７に供給すべく、その凝縮水供給路２５に凝縮水ポンプ２４を設けてある。
冷却水排出路１５は、貯水室５１内の冷却水としての凝縮水をオーバーフロー状態で排出すべく、貯水室５１の上部に接続してある。
又、凝縮水貯留室５７に貯留される凝縮水の水位が設定水位になったことを検出する水位センサ２６を設けてある。
【００５６】
（ヘ）  吸湿体の具体構成は、上記の実施形態において例示した構成に限定されるものではない。
例えば、通気可能な多孔状体を基材として、その多孔状体に吸湿剤を保持させる構成でも良い。
あるいは、吸湿剤そのものを、通気可能な多孔状に成形する構成としても良い。
（ト）  再生用気体としては、空気以外のものを使用しても良い。又、液状冷却媒体としては、水以外のものを使用しても良い。
【００５７】
（チ）  吸湿剤は、空気中の水分を吸着するシリカゲル、活性アルミナ、合成ゼオライト、活性炭等の吸着剤、あるいは、空気中の水分を吸収する塩化リチウムや塩化カルシウム等の吸収剤を初め、吸湿性を有し、且つ、再生用気体による脱湿再生が可能なものであれば種々のものを採用することができる。
【図面の簡単な説明】
【図１】  第１参考実施形態にかかる除湿装置の全体構成を示すブロック図
【図２】  第２参考実施形態にかかる除湿装置の全体構成を示すブロック図
【図３】  本発明の実施形態にかかる除湿装置の全体構成を示すブロック図
【図４】  除湿装置の外観図
【図５】  別実施形態にかかる冷却部の構成を示す縦断面図
【図６】  従来の除湿装置の全体構成を示すブロック図
【符号の説明】
２    吸湿体
２ｄ  除湿領域
２ｒ  再生領域
３    加熱手段
４    除湿用送風手段
５    循環用送風手段
７    気体−液体熱交換部
１４  冷媒供給路
１５  冷媒排出路
１６  凝縮水排出路
２３  気体−気体熱交換部
２４  凝縮水供給手段
Ｃ    冷却手段
Ｌ    循環経路
Ｒ    除湿対象域
【図１】
0003960708.tif 000002
【図２】
0003960708.tif 000003
【図３】
0003960708.tif 000004
【図４】
0003960708.tif 000005
【図５】
0003960708.tif 000006
【図６】
0003960708.tif 000007